(57)【要約】【課題】メニュー再生による入力待ち時間や、煩わしい入力操作をなくし、直ちに情報を再生できるようにする。【解決手段】ＤＶＤのメニューが再生されたときに、ユーザの入力操作によって出力された操作コマンドを記憶し、次回、同じＤＶＤが再生されたときには、記憶された操作コマンドを自動的に実行する。【選択図】　　　図１０
2004095032.tif 000002
【特許請求の範囲】
【請求項１】
コンテンツ情報を再生する情報再生装置であって、
前記コンテンツ情報の再生に関する選択設定情報を含むメニューを表示するメニュー表示手段と、
入力操作を行うための操作手段と、
前記メニューに含まれる前記選択設定情報を選択ないし設定するための入力操作を特定するための情報を入力操作情報として記憶保持する保持手段と、
前記保持手段により記憶保持された入力操作情報に基づいて、前記選択設定情報を選択ないし設定するための前記入力操作を自動的に行う自動入力操作手段と
を備えたことを特徴とする情報再生装置。
【請求項２】
前記メニュー表示手段によりメニューが表示されたことを認識するメニュー表示認識手段を備え、
前記保持手段は、前記メニュー表示認識手段によりメニューが表示されたことが認識されたときに行われた入力操作を特定するための情報を入力操作情報として記憶することを特徴とする請求項１に記載の情報再生装置。
【請求項３】
前記メニュー表示手段によりメニューが表示されたことを認識するメニュー表示認識手段を備え、
前記自動入力操作手段は、前記メニュー表示認識手段によりメニューが表示されたことが認識されたときに、前記入力操作を自動的に行うことを特徴とする請求項１または２に記載の情報再生装置。
【請求項４】
前記操作手段は入力操作を行うための入力操作機構を備え、前記保持手段は、入力操作された入力操作機構を特定する情報と入力操作の態様を示す情報とを前記入力操作情報として記憶保持することを特徴とする請求項１ないし３のいずれかに記載の情報再生装置。
【請求項５】
前記操作手段は個々の入力操作に対応する操作コマンドを出力する出力手段を備え、
前記保持手段は、前記出力手段から出力された操作コマンドを前記入力操作情報として記憶保持することを特徴とする請求項１ないし３のいずれかに記載の情報再生装置。
【請求項６】
前記メニュー表示手段は、表示画面を有するディスプレイと、当該ディスプレイの表示画面の所定の位置に前記選択設定情報に対応するボタンを表示するボタン表示手段とを備え、
前記保持手段は、前記操作手段を用いた入力操作により選択ないし設定された前記選択設定情報に対応するボタンを特定するための情報と、入力操作されたときの当該ボタンの状態を示す情報とを前記入力操作情報として記憶保持することを特徴とする請求項１ないし３のいずれかに記載の情報再生装置。
【請求項７】
前記保持手段は、前記操作手段を用いた入力操作により選択ないし設定された前記選択設定情報を直接指し示す情報を前記入力操作情報として記憶保持することを特徴とする請求項１ないし３のいずれかに記載の情報再生装置。
【請求項８】
前記保持手段は、前記操作手段を用いた入力操作により選択ないし設定された前記選択設定情報に割り当てられた実行コマンドを前記入力操作情報として記憶保持することを特徴とする請求項１ないし３のいずれかに記載の情報再生装置。
【請求項９】
記録媒体に記憶された前記コンテンツ情報を再生するために、前記記録媒体から前記コンテンツ情報を読み取る読取手段を備え、
前記保持手段は、前記入力操作情報に加え、前記メニュー表示手段によるメニュー表示時に読取の対象となっている記録媒体を特定するための記録媒体特定情報を、前記入力操作情報と関連付けて記憶保持することを特徴とする請求項１ないし８のいずれかに記載の情報再生装置。
【請求項１０】
コンピュータを請求項１ないし９のいずれかに記載の情報再生装置として機能させることを特徴とするコンピュータプログラム。
【請求項１１】
コンテンツ情報を再生する情報再生方法であって、
前記コンテンツ情報の再生に関する選択設定情報を含むメニューを表示するメニュー表示工程と、
操作手段を用いて、前記メニュー表示工程において表示されるメニューに含まれる前記選択設定情報を選択ないし設定するための入力操作を認識し、その認識された入力操作を特定するための情報を入力操作情報として記憶保持する保持工程と、
前記保持工程以降、前記メニューが表示されると、前記保持工程において記憶保持された入力操作情報に基づいて、前記メニューに含まれる前記選択設定情報を選択ないし設定するための前記入力操作を自動的に行う自動入力操作工程と
を備えたことを特徴とする情報再生方法。
【発明の詳細な説明】
【０００１】
【発明の属する技術分野】
本発明は、例えばＤＶＤプレーヤなどのように、音声情報、画像情報などのコンテンツ情報を再生する情報再生装置および情報再生方法に関する。
【０００２】
【従来の技術】
例えば、ＤＶＤには、映画などのタイトルを複数記録することができ、さらに、タイトルごとに、字幕のオン・オフ、または台詞等の音声言語の選択などを設定する機能が設けられている。ユーザは好みのタイトルを選択し、かつ、好みに合わせて、字幕の設定や言語の選択をして、そのタイトルを楽しむことができる。
【０００３】
このように、ＤＶＤは、ユーザに対して多くの選択肢を提供する。そこで、ＤＶＤをＤＶＤプレーヤに装填した直後には、メニューが自動的に表示され、ユーザが選択可能な選択肢の案内が行われる。具体的には、ＤＶＤに関する総合情報や、ＤＶＤに記録されたタイトルの項目などが表示される。
【０００４】
そして、ユーザがＤＶＤに記録された好みのタイトルを好みの設定で再生するためには、ユーザはメニューを見ながら、タイトルの選択、字幕の設定、言語の選択などの入力操作を行う必要がある。
【０００５】
【発明が解決しようとする課題】
確かに、ユーザが新たに購入したＤＶＤを初めて再生するときには、ＤＶＤ装填後にメニューが表示されることにより、ＤＶＤのコンテンツを知ることができ、便利である。また、初めてＤＶＤを再生するときには、タイトルの再生をユーザの好みに合わせるために、字幕の設定や言語の選択といった入力操作をすることが必要である。
【０００６】
しかし、ユーザが再生しようとするＤＶＤが過去に何度も再生したことのあるＤＶＤであり、ユーザがＤＶＤのコンテンツを熟知している場合には、メニュー表示後の待機状態や入力操作が煩わしい場合があるという問題がある。
【０００７】
例えば、あるＤＶＤには４つのタイトルＡ、Ｂ，Ｃ，Ｄが記録されており、ユーザは、そのＤＶＤを前回再生したときに、タイトルＣが気に入ったとする。そこで、ユーザは今回、そのＤＶＤに記録されたタイトルＣを直ちに見たいと思っている。このような場合には、ＤＶＤ装填後にメニューが表示され、ユーザの入力操作を待つためにＤＶＤプレーヤの処理が待機状態になると、ユーザは却って不便に感じるであろう。また、過去に何度も行った入力操作を今回も繰り返し行わなければならないとすれば、ユーザは煩わしさを感じるであろう。
【０００８】
また、同様の問題は、ＤＶＤの再生途中でメニューが表示される場合にも起こりうる。
【０００９】
また、かかる問題は、ＤＶＤおよびＤＶＤプレーヤに限らず、再生開始時等にメニューを自動的に再生する構成を有する情報再生装置の場合にも生じうる。
【００１０】
本発明は上記に例示したような問題点に鑑みなされたものであり、本発明の目的は、コンテンツ情報を再生するに際し、ユーザの入力操作の負担をなくし、または軽減することができる情報再生装置および情報再生方法を提供することを目的としている。
【００１１】
【課題を解決するための手段】
上記課題を解決するために請求項１に記載の情報再生装置は、コンテンツ情報を再生する情報再生装置であって、前記コンテンツ情報の再生に関する選択設定情報を含むメニューを表示するメニュー表示手段と、入力操作を行うための操作手段と、前記メニューに含まれる前記選択設定情報を選択ないし設定するための入力操作を特定するための情報を入力操作情報として記憶保持する保持手段と、前記保持手段により記憶保持された入力操作情報に基づいて、前記選択設定情報を選択ないし設定するための前記入力操作を自動的に行う自動入力操作手段とを備えたことを特徴とする。
【００１２】
上記課題を解決するために請求項１０に記載のコンピュータプログラムは、コンピュータを請求項１ないし９のいずれかに記載の情報再生装置として機能させることを特徴とする。
【００１３】
上記課題を解決するために請求項１１に記載の情報再生方法は、コンテンツ情報を再生する情報再生方法であって、前記コンテンツ情報の再生に関する選択設定情報を含むメニューを表示するメニュー表示工程と、操作手段を用いて、前記メニュー表示工程において表示されるメニューに含まれる前記選択設定情報を選択ないし設定するための入力操作を認識し、その認識された入力操作を特定するための情報を入力操作情報として記憶保持する保持工程と、前記保持工程以降、前記メニューが表示されると、前記保持工程において記憶保持された入力操作情報に基づいて、前記メニューに含まれる前記選択設定情報を選択ないし設定するための前記入力操作を自動的に行う自動入力操作工程とを備えたことを特徴とする。
【００１４】
【発明の実施の形態】
以下、本発明の実施の形態を図面に基づいて説明する。
【００１５】
まず、実施形態にかかる情報再生装置について図１を参照して説明する。
【００１６】
図１は本発明の実施形態にかかる情報再生装置を示している。図１に示すように、実施形態にかかる情報再生装置１０は、例えば、ＤＶＤプレーヤなど、コンテンツ情報を再生する情報再生装置である。コンテンツ情報とは、例えば音声情報、動画情報、静止画情報などである。コンテンツ情報は、記録媒体に記録された形で提供される場合もあれば、インターネット等の通信手段を介して供給される場合もある。
【００１７】
図１に示すように、情報再生装置１０は、コンテンツ情報の再生に関する選択設定情報を含むメニューを表示するメニュー表示手段１１と、入力操作を行うための操作手段１２と、メニューに含まれる選択設定情報を選択ないし設定するための入力操作を特定するための情報を入力操作情報として記憶保持する保持手段１３と、保持手段１３により記憶保持された入力操作情報に基づいて、選択設定情報を選択ないし設定するための入力操作を自動的に行う自動入力操作手段１４とを備えている。
【００１８】
メニュー表示手段１１はメニューを表示する。メニューには、選択設定情報が含まれている。選択設定情報とは、コンテンツ情報の再生に関する情報である。例えば、コンテンツ情報中に複数の情報単位（例えば複数のタイトル）が含まれている場合には、タイトルの項目を示す文字、ボタンまたはアイコン等がメニュー中に表示される。この場合には、各タイトルの項目が選択設定情報である。また、例えば、コンテンツ情報中に含まれる映画情報を再生するにあたり、字幕のオン・オフを設定することができる場合には、字幕のオン・オフを設定するためのボタン等がメニュー中に表示される。この場合には、字幕のオン・オフに関する情報が選択設定情報である。さらに、コンテンツ情報に含まれる映画情報において、映画の台詞等の音声言語を、日本語、英語、フランス語などから選択することができる場合には、これら音声言語を選択するための選択肢がメニュー中に表示される。この場合には、音声言語の選択肢が選択設定情報である。
【００１９】
操作手段１２は、情報再生装置１０に対して入力操作を行うためのユーザインタフェースである。例えば、操作手段１２は、パネルスイッチ、リモコン、音声入力のための音声認識手段などである。ユーザは、コンテンツ情報を再生するために、操作手段１２を用いて、メニュー中に表示された選択設定情報を選択ないし設定するための入力操作を行う。
【００２０】
保持手段１３は、この入力操作を認識し、この入力操作特定するための情報を入力操作情報として、メモリその他の記憶媒体に記憶する。
【００２１】
保持手段１３によって記憶すべき入力操作情報は、選択設定情報の選択ないし設定を行うための入力操作を特定することのできる情報であれば、何でもよい。例えば、入力操作を特定することのできる情報としては、操作手段１２に設けられた１のスイッチが１回押されたことを示す情報、メニュー中のカーソル（ハイライト）を下方向に１単位移動させる操作がなされたことを示す情報、メニュー中の複数の選択肢のうちの１の選択肢を選択すべきことを示す情報、字幕オンの指示を示す情報、再生開始の指示を示す情報などが考えられるが、入力操作情報として記憶保持すべき情報は、これらのいずれの情報であってもよい。
【００２２】
自動入力操作手段１４は、保持手段１３により記憶保持された入力操作情報に基づいて、入力操作を特定し、当該入力操作を自動的に行う。
【００２３】
例えば、ユーザが、４つの映画Ａ、Ｂ、Ｃ、Ｄが記録されたＤＶＤ等の記録媒体を情報再生装置１０（例えばＤＶＤプレーヤ）に装填したとする。これにより、メニュー表示手段１１によってメニューが表示される。続いて、ユーザは、メニューを見ながら、例えば映画Ｃを選択し、字幕をオンにし、台詞等の音声言語を日本語に選択するように、操作手段１２を用いて入力操作をしたとする。このとき、保持手段１３によって、かかる入力操作を特定するための情報が、入力操作情報として記憶保持される。そして、情報再生装置１０によって映画Ｃの再生が開始される。
【００２４】
その後、映画Ｃの再生が終了したので、ユーザは、記録媒体をイジェクトして、情報再生装置１０の電源をオフにしたとする。保持手段１３によって入力操作情報を不揮発性のメモリ等に記憶する構成とすれば、情報再生装置１０の電源がオフとなっても、入力操作情報は消えずに保持される。
【００２５】
その後、ユーザが、情報再生装置１０の電源をオンにして、同一の記録媒体を再び装填したとする。これにより、自動入力操作手段１４によって、保持手段１３により記憶保持された入力操作情報が読み出され、この入力操作情報に基づいて、前回再生時にユーザが行った入力操作が特定され、この入力操作が自動的に実行される。この結果、ユーザによる入力操作がなくても、記録媒体に記録された映画Ｃが再生される。
【００２６】
以上より、本実施形態にかかる情報再生装置１０によれば、メニューに含まれる選択設定情報を選択ないし設定するためにユーザによって行われる入力操作を記憶保持し、次回再生時には、記憶保持された入力操作を自動的に実行する構成としたから、入力操作の記憶が行われた後に、同じコンテンツ情報の再生を行う場合には、ユーザによる入力操作が不要となる。また、入力操作の記憶が行われた後に、同じコンテンツ情報の再生を行う場合には、メニュー再生時に情報再生装置１０による処理が入力操作待ちのために待機状態となることがない。
【００２７】
したがって、ユーザは、同じコンテンツ情報を２回以上再生する場合に、２回目以降の再生を、何ら入力操作をすることなしに、直ちに行うことができ、入力操作の煩わしさから解放される。よって、情報再生装置１０の操作性、利便性を向上させることができる。
【００２８】
なお、上述の説明では、メニュー表示手段１１によりメニューが表示されたときに、ユーザがメニューを見ながら実際に行った入力操作を、保持手段１３により記憶する場合を例に挙げている。しかし、情報再生装置１０において、メニュー中に含まれる選択設定情報を選択ないし設定するための入力操作を行う時期は、実際のメニュー表示時に限定されず、したがって、その入力操作を特定するための入力操作情報を記憶する時期も実際のメニュー表示時に限定されない。
【００２９】
例えば、情報再生装置１０において、選択設定情報を選択ないし設定するための入力操作を記憶する作業を行うための専用のルーチンを設ける構成としてもよい。より具体的には、情報再生装置１０の再生停止中に、ユーザが操作手段１２の所定のボタンを押すと、入力操作の記憶を行うためのルーチンが開始され、擬似的なメニューが表示される。ユーザは、その擬似的なメニューを見ながら、仮の入力操作を行う。すると、その入力操作が保持手段１３により記憶される。そして、次回以降には、保持手段１３により記憶された入力操作が、自動入力操作手段により自動的実行される。
【００３０】
このような構成によれば、入力操作が記憶された以降は、同じコンテンツ情報の再生を行うにあたり、ユーザによる入力操作を省略することができると共に、メニュー再生時に情報再生装置１０による処理が入力操作待ちのために待機状態となるのを防ぐことができる。
【００３１】
次に、実施形態にかかる情報再生装置１０の各種態様について説明する。
【００３２】
情報再生装置１０に、メニュー表示手段１１によりメニューが表示されたことを認識するメニュー表示認識手段を追加する構成としてもよい。この場合には、保持手段１３を、メニュー表示認識手段によりメニューが表示されたことが認識されたときに行われた入力操作を特定するための情報を入力操作情報として記憶する構成とする。
【００３３】
これにより、メニューが表示されたときに、そのメニューに表示された選択設定情報を選択ないし設定するための入力操作のみを記憶することができる。すなわち、メニューが表示される前に行われた入力操作や、メニュー表示終了後に行われた入力操作を記憶の対象から排除することができる。
【００３４】
さらに、自動入力操作手段を、メニュー表示認識手段によりメニューが表示されたことが認識されたときに、入力操作を自動的に行う構成としてもよい。
【００３５】
これにより、メニューが表示されたときに、入力操作を自動実行することができ、メニュー中に表示された選択設定情報の選択ないし設定の実行を確実に行うことができる。
【００３６】
また、操作手段１２が入力操作を行うための入力操作機構を備えている場合には、保持手段１３を、入力操作された入力操作機構を特定する情報と入力操作の態様を示す情報とを入力操作情報として記憶保持する構成としてもよい。
【００３７】
例えば、入力操作機構は、パネル面上のスイッチ（キー）、リモコン上のスイッチ（キー）、ダイヤル、スライダなどである。操作手段１２がこのような入力操作機構を備えている場合には、保持手段１３は、例えばパネル面上の１のスイッチが１回押されたことを示す情報（より具体的にはスイッチ番号および押された回数や押された状態が維持された時間、キー操作の間隔など）、リモコン上のダイヤルが左方向に４５度回せれたことを示す情報、パネル面のスライダが最上または最右位置に動かされたことを示す情報などを入力操作情報として記憶保持する。これにより、自動入力操作手段１４により入力操作を自動的に実行するときには、記憶保持された入力操作情報に基づいて、前回の入力操作を特定することができる。
【００３８】
また、操作手段１２が、個々の入力操作に対応する操作コマンドを出力する出力手段を備えている場合には、保持手段１３を、この出力手段から出力された操作コマンドを入力操作情報として記憶保持する構成としてもよい。
【００３９】
例えば、操作手段１２には、上向き、下向き、左向き、右向きの矢印スイッチが設けられており、いずれかの矢印スイッチが１回押されたときにはその矢印スイッチに対応する方向に、メニュー中のカーソル（ハイライト）を１単位移動すべき旨の操作コマンドが出力される場合には、このような操作コマンドが出力されたことを示す情報を入力操作情報として記憶保持する。これにより、自動入力操作手段１４により入力操作を自動的に実行するときには、記憶保持された入力操作情報に基づいて、前回の入力操作を特定することができる。
【００４０】
また、メニュー表示手段１１が、表示画面を有するディスプレイと、当該ディスプレイの表示画面の所定の位置に選択設定情報に対応するボタンを表示するボタン表示手段とを備えている場合がある。この場合には、保持手段１３を、操作手段１２を用いた入力操作により選択ないし設定された選択設定情報に対応するボタンを特定するための情報と、入力操作されたときの当該ボタンの状態を示す情報とを入力操作情報として記憶保持する構成としてもよい。
【００４１】
例えば、ＤＶＤにおけるトップメニューには、ＤＶＤに記録されたタイトルの項目が選択ボタンとして表示される。そして、ユーザが操作手段１２を用いて、１のタイトル項目を選択するように入力操作を行うと、選択された１のタイトル項目に対応するボタンがハイライト表示になる。このとき、保持手段１３は、選択された１のタイトル項目に対応するボタンを特定するための情報（具体的にはボタンの位置またはボタン番号など）と、当該ボタンが選択状態またはハイライト状態になったことを示す情報とを入力操作情報として記憶保持する。これにより、自動入力操作手段１４により入力操作を自動的に実行するときには、記憶保持された入力操作情報に基づいて、前回の入力操作を特定することができる。
【００４２】
また、保持手段１３を、操作手段１２を用いた入力操作により選択ないし設定された選択設定情報を直接指し示す情報を入力操作情報として記憶保持する構成としてもよい。例えば、ユーザがトップメニュー中に表示されたタイトルＡ、Ｂ、Ｃ、Ｄのうち、タイトルＣを選択するように入力操作を行ったときには、選択されたタイトルがタイトルＣである旨を入力操作情報として記憶保持する。このような構成でも、自動入力操作手段１４により入力操作を自動的に実行するときには、記憶保持された入力操作情報に基づいて、前回の入力操作を特定することができる。
【００４３】
また、保持手段１３を、操作手段１２を用いた入力操作により選択ないし設定された選択設定情報に割り当てられた実行コマンドを入力操作情報として記憶保持する構成としてもよい。例えば、ユーザが１のタイトルの再生を開始すべく、メニュー中に表示された再生開始ボタンを押すように入力操作したときには、保持手段１３は、再生開始の実行コマンドを入力操作情報として記憶保持する。このような構成でも、自動入力操作手段１４により入力操作を自動的に実行するときには、記憶保持された入力操作情報に基づいて、前回の入力操作を特定することができる。
【００４４】
また、コンテンツ情報がＤＶＤ等の記録媒体に記録されている場合には、情報再生装置１０に、記録媒体からコンテンツ情報を読み取る読取手段を備える。そして、この場合、保持手段１３は、入力操作情報に加え、メニュー表示手段によるメニュー表示時に読取の対象となっている記録媒体を特定するための記録媒体特定情報を、入力操作情報と関連付けて記憶保持する構成としてもよい。これにより、自動入力操作手段１４により入力操作を自動的に実行するときには、記憶保持された記録媒体特定情報および入力操作情報に基づいて、過去に再生されたことのある複数の記憶媒体のそれぞれにつき、過去の入力操作を特定することができる。
【００４５】
例えば、記録媒体Ｒ１を再生する際に、保持手段１３は、記録媒体Ｒ１のメニュー表示時に行われた入力操作を特定するための入力操作情報ＦＣ１と、記録媒体Ｒ１を特定するための記録媒体特定情報ＦＲ１とを記憶保持する。また、記録媒体Ｒ２を再生する際には、保持手段１３は、記録媒体Ｒ２のメニュー表示時に行われた入力操作を特定するための入力操作情報ＦＣ２と、記録媒体Ｒ２を特定するための記録媒体特定情報ＦＲ２とを記憶保持する。これにより、その後再び、記憶媒体Ｒ１を再生する際には、自動入力操作手段１４は、記憶保持された入力操作情報ＦＣ１および記憶媒体特定情報ＦＲ１に基づいて、前回記憶媒体Ｒ１を再生したときの入力操作を特定することができる。また、再び、記憶媒体Ｒ２を再生する際には、自動入力操作手段１４は、記憶保持された入力操作情報ＦＣ２および記憶媒体特定情報ＦＲ２に基づいて、前回記憶媒体Ｒ２を再生したときの入力操作を特定することができる。
【００４６】
なお、以上のような実施形態は、専用の装置としてハードウェアと一体的に構成する形態で実現してもよいし、コンピュータにプログラムを読み込ませることによって実現してもよい。
【００４７】
【実施例】
以下、本発明の実施例を図面に基づいて説明する。以下の実施例は、本発明の情報再生装置をＤＶＤプレーヤに適用した例である。
【００４８】
まず、本発明の実施例にかかるＤＶＤプレーヤの構成について図２を参照して説明する。
【００４９】
図２は実施例にかかるＤＶＤプレーヤの構成を示している。図２に示すように、本実施例にかかるＤＶＤプレーヤ３０は、ＤＶＤ１に記録された音声情報および画像情報等を再生する情報再生装置である。音声情報は例えば音楽を符号化した情報であり、画像情報は動画および静止画を符号化した情報である。
【００５０】
ＤＶＤプレーヤ３０は、ディスク読取部３１、信号処理部３２、音声デコーダ３３、画像デコーダ３４、システムコントローラ３５、記憶部３６および操作部３７を備えている。また、ＤＶＤプレーヤ３０には、アンプおよびスピーカからなる音声出力装置３８と、ディスプレイ３９が接続されている。
【００５１】
ディスク読取部３１は、ＤＶＤ１の記録面に光ビームを照射してその反射光を受け取る光ピックアップ、ＤＶＤ１を回転させるスピンドルモータ、並びに光ビームの照射位置およびスピンドルモータの回転等を制御するサーボ制御機構等（いずれも図示せず）を備えている。ディスク読取部３１は、ＤＶＤ１に記録された音楽情報および画像情報等を含む信号を読み取り、読み取った信号を信号処理部３２に出力する。
【００５２】
信号処理部３２は、復調回路等を備えている。信号処理部３２は、ディスク読取部３１から出力された信号を復調し、音声情報、画像情報およびこれらの再生を制御する制御情報等を抽出する。そして、信号処理部３２により抽出された音声情報および画像情報は、音声デコーダ３３および静止画デコーダ３４にそれぞれ供給される。
【００５３】
音声デコーダ３３は、音声情報をデコードする回路である。音声デコーダ３３によりデコードされた音声信号は、アンプおよびスピーカからなる音声出力装置３８に供給される。
【００５４】
画像デコーダ３４は、画像情報をデコードする回路であり、動画情報をデコードする回路、静止画情報をデコードする回路、および動画と静止画を合成する回路などを備えている。画像デコーダ３４によりデコードされた画像信号は、液晶ディスプレイまたはプラズマディスプレイ等のディスプレイ３９に供給される。
【００５５】
システムコントローラ３５は、ＣＰＵ（セントラルプロセッシングユニット）、ＲＯＭ（リードオンリメモリ）、ＲＡＭ（ランダムアクセスメモリ）等の演算回路および記憶回路を備えている。システムコントローラ３５は、ＤＶＤプレーヤ３０の全体的な制御、再生制御、操作コマンド記憶処理、操作コマンド実行処理等を行う。
【００５６】
記憶部３６は、システムコントローラ３５による制御ないし処理の過程で記憶すべき情報ないしデータを記憶するメモリである。記憶部３６は、不揮発性のメモリ素子から構成されている。したがって、ＤＶＤプレーヤ３０の電源がオフとなっても、記憶部３６に記憶された情報ないしデータは保持される。
【００５７】
操作部３７は、スイッチパネル、リモコン等を備えたユーザインタフェースである。操作部３７は、ユーザがＤＶＤプレーヤ３０に対し、電源のオン・オフ、再生開始・停止、タイトルの選択、再生方法の設定などの指示入力を行うための入力操作に用いられる。
【００５８】
ここで、図３は操作部３７の一部を構成するリモコン４０のパネル面を示している。図３に示すように、リモコン４０には、複数の数字ボタンを備えた数字ボタン部４０Ａ、複数の矢印ボタンを備えた矢印ボタン部４０Ｂ、決定ボタン４０Ｃ、トップメニューボタン４０Ｄ、メニューボタン４０Ｅ、クリアボタン４０Ｆ等が設けられている。
【００５９】
次に、ＤＶＤプレーヤ３０におけるメニュー再生について図４および図５を参照して説明する。
【００６０】
ＤＶＤ規格によれば、ＤＶＤには、例えば、映画、音楽ライブ映像等をタイトルとして記録することができる。また、１枚のＤＶＤには１ないし９９のタイトルを記録することができる。また、映画の字幕のオン・オフなどを設定することができる。さらに、１つの映画につき、日本語、英語、フランス語等の音声情報を記録すれば、映画の台詞等の音声言語の選択が可能となる。
【００６１】
このようにＤＶＤは多くの選択肢をユーザに提供する。そこで、ＤＶＤには、メニュー情報が記録されており、ＤＶＤの再生に際しては、メニューが再生され、ユーザによる選択肢の選択を可能としている。具体的には、タイトルの選択、字幕のオン・オフ、音声言語の選択などである。
【００６２】
ＤＶＤがＤＶＤプレーヤに装填されると、まず、トップメニューが自動的に再生される。図４および図５は、トップメニューの具体例を示している。例えば、本実施例におけるＤＶＤ１に、小編映画３本からなる「小編映画集」が記録されているとする。この場合、ＤＶＤ１をＤＶＤプレーヤ３０に装填すると、図４に示すようなトップメニューＭ１が再生され、これがディスプレイ３９に表示される。また、他のＤＶＤ２に、７つの音楽ライブ映像からなる「音楽ライブ集」が記録されているとする。この場合、ＤＶＤ２をＤＶＤプレーヤ３０に装填すると、図５に示すようなトップメニューＭ２が再生され、これがディスプレイ３９に表示される。
【００６３】
メニューが再生されるのは、ＤＶＤがＤＶＤプレーヤに装填されたときに限らない。例えば、１のタイトルの再生が終了したとき、ユーザがリモコン４０のトップメニューボタン４０Ｄまたはメニューボタン４０Ｅを押したときにも、メニューが再生される。
【００６４】
メニューは、ユーザに何らかの選択・決定を促すために表示される。したがって、メニューが表示されると、ＤＶＤプレーヤにおける処理は、ユーザによる何らかの入力操作があるまで、待機状態となるのが通常である。例えば、ＤＶＤ１を再生する場合、ＤＶＤプレーヤ３０は、図４に示すようなトップメニューＭ１を表示した後、ユーザによるタイトル（映画＃１ないし＃３）の選択・決定等の入力操作があるまで、待機状態となる。そして、何らかの入力操作があると、ＤＶＤプレーヤ３０は、当該入力操作に対応した処理を実行する。
【００６５】
また、ユーザに提供すべき選択肢が多いときには、すべての選択肢を１画面に表示することができない。そこで、このような場合には、複数のメニューを階層的に表示される。例えば、図４に示すトップメニューＭ１において、ユーザが「設定」を選択・決定すると、例えば、字幕のオン・オフまたは音声言語の選択をするための設定メニューが表示される。そして、字幕のオン・オフ、音声言語の設定、またはトップメニューに戻る旨の指示などの入力操作があるまで、ＤＶＤプレーヤ３０の処理は待機状態となる。
【００６６】
さらに、図４に示すように、トップメニューＭ１には、ＤＶＤ１に記録された３つの映画＃１ないし＃３の項目と、設定項目が表示されている。これらの項目には、それぞれ仮想的なボタンＢ１ないしＢ４が割り当てられている。例えば、ユーザがリモコン４０等を用いて映画＃３を選択すると、映画＃３の項目に対応するボタンＢ３がハイライト状態になり、ディスプレイ３９上において当該項目が選択された（ボタンＢ３が押された）ことが明示される。
【００６７】
次に、ＤＶＤプレーヤ３０における入力操作について図６ないし図９を参照して説明する。
【００６８】
図６ないし図９はユーザにより入力操作がなされ、それに応じてメニューの表示が変化していく状態を示している。
【００６９】
例えば、ＤＶＤ１をＤＶＤプレーヤ３０に装填すると、まず、図６中の上段に示すようなトップメニューＭ１が表示される。ＤＶＤ規格によれば、メニューが表示された当初は、メニュー中のいずれか１つの項目が予め選択された状態となる。図６の例では、タイトル「映画＃１」が選択された状態となっており、それに対応するボタンＢ１がハイライト状態となっている（図中の斜線部分はハイライト状態となっていることを意味する）。
【００７０】
このとき、ユーザは、映画＃３を英語の台詞で見たいと思っている。これを実現するためには、ユーザは、台詞等の音声言語を英語に設定し、映画＃３を選択して、映画＃３の再生を開始する入力操作を行う必要がある。かかる入力操作は以下のようになる。
【００７１】
まず、ユーザは、リモコン４０の矢印ボタン部４０Ｂ中の右向き矢印ボタンを押す（図３参照）。これにより、図６中の中段に示すように、設定の項目が選択され、これに対応するボタンＢ４がハイライト状態となる。
【００７２】
次に、ユーザは、リモコン４０の決定ボタン４０Ｃを押す。これにより、図６中の下段に示すように、設定メニューＭ３が表示される。設定メニューＭ３には、字幕設定の項目（ボタンＢ４）、音声言語設定の項目（ボタンＢ５）、およびトップメニューＭ１に戻るための項目（ボタンＢ６）が表示される。なお、設定メニューが表示された当初は、字幕設定の項目（ボタンＢ４）が予め選択された状態になっている。
【００７３】
次に、ユーザは、リモコン４０の下向き矢印ボタンを押す。これにより、図７中の上段に示すように、音声言語設定の項目（ボタンＢ５）が選択される。
【００７４】
次に、ユーザは、リモコン４０の決定ボタン４０Ｃを押す。これにより、図７中の中段に示すように、音声言語設定メニューＭ４が表示される。音声言語設定メニューＭ４には、日本語、英語、フランス語の項目（ボタンＢ７ないしＢ９）およびトップメニューＭ１に戻るための項目（ボタンＢ１０）が表示される。また、音声言語設定メニューＭ４がはじめて表示されたときには、初期設定された音声言語が選択された状態となる。図７の例では、初期設定された音声言語が日本語であるとする。その結果、日本語（ボタンＢ７）が予め選択された状態となっている。
【００７５】
次に、ユーザは、リモコン４０の下向き矢印ボタンを押す。これにより、図７中の下段に示すように、音声言語として英語（ボタンＢ８）が選択される。
【００７６】
次に、ユーザは、リモコン４０の決定ボタン４０Ｃを押す。これにより、図８中の上段に示すように、音声言語として英語を選択したことが確定される。
【００７７】
次に、ユーザは、リモコン４０の右向き矢印ボタンを押す。これにより、図８中の中段に示すように、トップメニューに戻るための項目（ボタンＢ１０）が選択される。
【００７８】
次に、ユーザは、リモコン４０の決定ボタン４０Ｃを押す。これにより、図８中の下段に示すように、トップメニューＭ１が再び表示される。
【００７９】
次に、ユーザは、リモコン４０の下向き矢印ボタンを押す。これにより、図９中の上段に示すように、映画＃２の項目（ボタンＢ２）が選択される。
【００８０】
次に、ユーザは、リモコン４０の下向き矢印ボタンをもう一度押す。これにより、図９中の中段に示すように、映画＃３の項目（ボタンＢ３）が選択される。
【００８１】
次に、ユーザは、リモコン４０の決定ボタンを押す。これにより、図９中の下段に示すように、映画＃３の項目を選択したことが確定される。その結果、映画＃３の再生が開始される。
【００８２】
このように、ユーザが音声言語を英語に設定し、映画＃３を選択して、映画＃３の再生を開始するには、リモコン４０の右向き矢印ボタン、決定ボタン、下向き矢印ボタン、決定ボタン、下向き矢印ボタン、決定ボタン、右向き矢印ボタン、決定ボタン４０Ｃ、下向き矢印ボタン（２回）、決定ボタンを順次押すといった、入力操作が行われる。
【００８３】
リモコン４０は、そのパネル面上の各ボタンが押されると、各ボタンに対応する操作コマンドを出力する。例えば、矢印ボタン部４０Ｂの右向き矢印ボタンが押されたときには、「右」を示す操作コマンドを出力する。また、決定ボタン４０Ｃが押されたときには、「決定」を示す操作コマンドを出力する。操作コマンドは、例えば、リモコン４０内に設けられた発光素子によって赤外線信号に変換され、リモコン４０からＤＶＤプレーヤ３０に設けられた受光素子を介してシステムコントローラ３５に入力される。そして、システムコントローラ３５は、かかる操作コマンドを認識し、操作コマンドに基づく処理を実行する。
【００８４】
次に、操作コマンド記憶処理について図１０および図１１に基づいて説明する。
【００８５】
図１０は操作コマンド記憶処理を示している。上述したように、ＤＶＤ１がＤＶＤプレーヤ３０に装填されると、メニューが再生され、ユーザによる入力操作が行われる。このとき、システムコントローラ３５は、操作コマンド記憶処理を実行し、装填されたＤＶＤ１を特定するためのディスク特定情報と、ユーザの入力操作によってリモコン４０から出力された操作コマンドを記憶部３６に記憶する。
【００８６】
すなわち、図１０に示すように、システムコントローラ３５は、まず、ＤＶＤ１を特定するためのディスク特定情報を読み取る（ステップＳ１１）。ディスク特定情報は、例えば、ＤＶＤに記録されたタイトルの情報など、ＤＶＤを特徴づける情報であり、その情報に基づいて１のＤＶＤを特定することができるものであれば何でもよい。
【００８７】
次に、ディスク特定情報に基づいて、ＤＶＤ１に対応する操作コマンド情報がすでに記憶部３６に記憶されているか否かを判定する（ステップＳ１２）。
【００８８】
例えば、ユーザがＤＶＤ１をはじめて再生するときには、ＤＶＤ１に対応する操作コマンド情報は記憶されていない。このような場合には（ステップＳ１２：ＮＯ）、システムコントローラ３５は、次に、メニューが再生されたか否かを判定する（ステップＳ１３）。
【００８９】
ＤＶＤ１に記憶されたメニューの情報（静止画情報等）が読み取られ、メニューがディスプレイ３９に完全に表示されると（ステップＳ１３：ＹＥＳ）、システムコントローラ３５は、次に、操作コマンドが入力されたか否かを判定する（ステップＳ１４）。
【００９０】
ユーザがリモコン４０のボタンを押したことにより、リモコン４０から当該ボタンに対応する操作コマンドが出力され、これがシステムコントローラ３５に入力されると、システムコントローラ３５は、これを認識し（ステップＳ１４：ＹＥＳ）、続いて、この操作コマンドを操作コマンド情報として記憶部３６に記憶する（ステップＳ１５）。
【００９１】
このとき、システムコントローラ３５は、ＤＶＤ１を特定するためのディスク特定情報と操作コマンド情報とを相互に関連付け、操作コマンド情報をディスク特定情報と共に記憶部３６に記憶する。
【００９２】
次に、システムコントローラ３５は、メニューがまだ再生されている状態であるか否かを判定する（ステップＳ１６）。
【００９３】
操作コマンドが入力された結果、メニューの再生が終了した場合（例えば、再生を開始する旨の入力操作が行われ、映画の再生が開始された場合）には（ステップＳ１６：ＮＯ）、操作コマンド記憶処理を終了する。
【００９４】
一方、メニューがまだ再生されている状態である場合には、処理をステップＳ１４に戻し、次の操作コマンドが入力されるのを待つ。
【００９５】
一方、ステップＳ１２で、ＤＶＤ１に対応する操作コマンド情報が記憶部３６にすでに記憶されているときには（ステップＳ１２：ＹＥＳ）、システムコントローラ３５は、次に、新規の操作コマンドを記憶する旨の指示入力があるか否かを判定する（ステップＳ１７）。
【００９６】
例えば、ＤＶＤ１が装填されてからメニューが再生されるまでの間に、ユーザがリモコンのクリアボタン４０Ｆを押し続けると、システムコントローラ３５は、新規の操作コマンドを記憶する旨の指示入力があったと判定する（ステップＳ１７：ＹＥＳ）。この場合には、処理をステップＳ１３に移す。
【００９７】
一方、新規の操作コマンドを記憶する旨の指示入力がないときには（ステップＳ１７：ＮＯ）、後述する操作コマンド実行処理（図１２）へ移行する。
【００９８】
ここで、図１１は、ＤＶＤ１をＤＶＤプレーヤ３０に装填した後に、ユーザが音声言語を英語に設定し、映画＃３を選択して、映画＃３の再生を開始する入力操作を行った場合（図６ないし図９参照）、操作コマンド記憶処理によって記憶部３６に記憶された操作コマンド情報を示している。
【００９９】
図１１に示すように、まず、ＤＶＤ１を特定するための情報がディスク特定情報として記憶されている。続いて、１１個の操作コマンドが操作コマンド情報として記憶されている。
【０１００】
操作コマンド情報は、各操作コマンドが入力された順序で記憶される。また、操作コマンド情報には、操作コマンドの種類を示す情報が記述される。例えば、図１１中の「右」とは、リモコン４０の矢印ボタン部４０Ｂの右向き矢印ボタンが押されたときに出力される操作コマンドである。また、図１１中の「決定」とは、リモコン４０の決定ボタン４０Ｃが押されたときに出力される操作コマンドである。さらに、操作コマンド情報には、操作コマンドの出力が継続された時間を示す情報が記述される。例えば、図１１中の「５００」とは、各操作コマンドの出力が５００ｍ秒間継続されたことを示している。これは、右向き矢印ボタンや決定ボタン４０Ｃが５００ｍ秒間押されたことを意味する。これにより、ボタンが短く押されたときと、長く押し続けられたときとで、実行すべき処理内容が異なる場合には、後述する操作コマンド実行処理において、この継続時間の情報を参照することにより、実行すべき処理内容を識別することができる。
【０１０１】
また、これらに加えて、前記操作コマンド情報に、操作コマンドの送信間隔情報を記述してもよい。これにより、操作コマンド送信後、次のものが送られるまでにある時間待つ必要がある場合に対応することができる。例えば、画面切り替わり時に映像が流れるもの等では、その間は一時的にコマンド送信を待機する必要があるが、そのような場合でも操作コマンドの送信間隔情報を利用することによって、確実に対応することができる。
【０１０２】
次に、操作コマンド実行処理について図１２を参照して説明する。
【０１０３】
上述したように、ユーザが、ＤＶＤ１をＤＶＤプレーヤ３０に装填し、音声言語を英語に設定し、映画＃３を選択して、映画＃３の再生を開始する入力操作を行うと、これら一連の入力操作によって出力された操作コマンドは、操作コマンド情報として記憶部３６に記憶される。そして、ユーザが映画＃３を見終えて、ＤＶＤ１をイジェクトし、ＤＶＤプレーヤ３０の電源をオフにしたとする。
【０１０４】
その後、ユーザが再び映画＃３を見るために、ＤＶＤプレーヤ３０の電源をオンにして、ＤＶＤ１をＤＶＤプレーヤ３０に装填したとする。このとき、図１０中のステップＳ１１が実行され、ＤＶＤ１からディスク特定情報が読み取られる。続いて、ＤＶＤ１に対応する操作コマンド情報が記憶部３６にすでに記憶されているか否かが判定される（ステップＳ１２）。このとき、ＤＶＤ１に対応する操作コマンド情報が記憶部３６にすでに記憶されているので（ステップＳ１２：ＹＥＳ）、ユーザが新規の操作コマンドを記憶する旨の指示入力を行っていない場合には（ステップＳ１７：ＮＯ）、操作コマンド実行処理が実行される。
【０１０５】
図１２は操作コマンド実行処理を示している。図１２に示すように、システムコントローラ３５は、まず、記憶部３６に記憶された操作コマンド情報を読み出す（ステップＳ２１）。具体的に説明すると、まず、図１０中のステップＳ１１で読み取ったＤＶＤ１のディスク特定情報に基づいて、ＤＶＤ１に対応する操作コマンド情報を特定する。そして、その操作コマンド情報を記憶部３６から読み出す。
【０１０６】
次に、システムコントローラ３５は、メニューが再生されたか否かを判定する（ステップＳ２２）。
【０１０７】
ＤＶＤ１に記憶されたメニューの情報（静止画情報等）が読み取られ、メニューがディスプレイ３９に完全に表示されると（ステップＳ２２：ＹＥＳ）、システムコントローラ３５は、次に、新たな操作コマンドが入力されたか否かを判定する（ステップＳ２３）。
【０１０８】
新たな操作コマンドの入力がない場合には（ステップＳ２３：ＮＯ）、次に、まだ実行されていない操作コマンドがあるか否かを判定する（ステップＳ２４）。
【０１０９】
まだ実行されていない操作コマンドがあるときには、システムコントローラ３５は、まだ実行されていない１個の操作コマンドを実行する（ステップＳ２５）。
【０１１０】
次に、システムコントローラ３５は、メニューが再生されている状態か否かを判定する（ステップＳ２６）。
【０１１１】
メニューが再生されている状態である場合には、処理をステップＳ２３に戻す。
【０１１２】
このように、新たな操作コマンドの入力がなく、メニュー再生が継続されている限り、システムコントローラ３５は、ステップＳ２３ないしステップ２６の処理を繰り返し、操作コマンド情報における入力順序（図１１参照）に従って、操作コマンドを１つ１つ実行する。
【０１１３】
そして、操作コマンド情報に記述された操作コマンドのすべてを実行し終えたときには（ステップＳ２４：ＮＯ）、操作コマンド実行処理を終了する。
【０１１４】
一方、システムコントローラ３５が、ステップＳ２３ないしステップＳ２６の処理を繰り返している途中で、ユーザがリモコン４０のボタンを押したときには、新たな操作コマンドが入力される。このとき、システムコントローラ３５は、ステップＳ２３で、このことを認識する（ステップＳ２３：ＹＥＳ）。
【０１１５】
続いて、システムコントローラ３５は、新たに入力された操作コマンドを、ＤＶＤ１のディスク特定情報と関連づけながら、記憶部３６に記憶し（ステップＳ２７）、その時点でまだ実行していない操作コマンドを記憶部３６から削除する（ステップＳ２８）。
【０１１６】
そして、それ以降入力される新たな操作コマンドを記憶するために、図１０に示す操作コマンド記憶処理（ステップＳ１４ないしＳ１６）を実行する。
【０１１７】
以上より、本実施例にかかるＤＶＤプレーヤ３０によれば、メニュー再生中に行われるユーザの入力操作によって出力される操作コマンドを記憶保持し、次回再生時には、記憶保持された操作コマンドを自動的に実行する構成としたから、同じＤＶＤの再生が２回目以上の場合には、ユーザによる入力操作を省略することができる。また、同じＤＶＤの再生が２回目以上の場合には、メニュー再生時にＤＶＤプレーヤ３０による処理が入力操作待ちのために待機状態となってしまうのを防止することができる。
【０１１８】
したがって、ユーザは、同じＤＶＤを２回以上再生する場合に、２回目以降の再生を、何ら入力操作をすることなしに、直ちに行うことができ、入力操作の煩わしさから解放される。よって、ＤＶＤプレーヤ３０の操作性、利便性を向上させることができる。
【０１１９】
また、ＤＶＤプレーヤ３０に装填されたＤＶＤのディスク特定情報を取得し、これと操作コマンドとを関連づけて記憶する構成としたから、過去に複数のＤＶＤの再生が行われ、これら複数のＤＶＤについて操作コマンドを記憶した場合でも、各ＤＶＤに対応した操作コマンドを特定し、実行することができる。例えば、図４に示すように、ＤＶＤ１に記録された映画＃３を再生する場合と、図５に示すように、ＤＶＤ２に記憶されたライブ映像＃６を再生する場合とでは、ユーザによる入力操作は異なり、記憶部３６に記憶される操作コマンド情報も異なる。このような場合でも、ＤＶＤ１の映画＃３を再生するときには、ＤＶＤ１のディスク特定情報と関連づけられた操作コマンドを実行する。一方、ＤＶＤ２のライブ映像＃６を再生するときには、ＤＶＤ２のディスク特定情報と関連づけられた操作コマンドを実行する。これにより、ＤＶＤごとに適切な操作コマンドの実行を実現することができる。
【０１２０】
また、本実施例にかかるＤＶＤプレーヤ３０によれば、操作コマンドを記憶し、次回再生時にその操作コマンドを実行する構成としたから、メニューの再生（表示）を行いつつ、ユーザによる入力操作のみを省くことができる。これにより、ユーザは、メニューを見れば、自動的に実行された入力操作の過程や内容を知ることができる。したがって、ユーザは安心してＤＶＤの再生を楽しむことができる。
【０１２１】
さらに、本実施例にかかるＤＶＤプレーヤ３０によれば、操作コマンドが自動的に実行される前または途中で、ユーザが新たな入力操作を行ったときには、記憶部３６に記憶された操作コマンドの自動実行を中止する構成とした。これにより、ユーザの再生したタイトルが前回と異なる場合には、操作コマンドの自動実行を中止することができ、ユーザの意図に沿った再生を実現することができる。
【０１２２】
また、操作コマンドが自動的に実行される前または途中で、ユーザが新たな入力操作を行ったときには、その新たな入力操作による新たな操作コマンドが入力された時点から、その新たな操作コマンドと、それ以降に入力された新たな操作コマンドを記憶する構成としたから、再生時には、常に最新の入力操作を自動実行することができる。
【０１２３】
なお、上述した実施例では、ＤＶＤがＤＶＤプレーヤに装填されたときに再生されるメニューに対して、ユーザが入力操作を行う場合を例に挙げたが、本発明はこれに限定されない。例えば、１のタイトルが終了したときに再生されるメニューに対して、ユーザが入力操作を行う場合にも適用することができる。
【０１２４】
また、上述した実施例では、操作コマンドを記憶する場合を例に挙げたが、本発明はこれに限らない。例えば、ユーザがリモコン４０のボタンを押したとき、その押されたボタンを特定する情報を記憶してもよい。また、ユーザが入力操作をしたことに応じてハイライト表示となったディスプレイ３９上のボタンを特定する情報を記憶してもよい。さらに、ユーザが入力操作に応じて実行された実行コマンドを記憶してもよい。
【０１２５】
また、本発明は、請求の範囲および明細書全体から読み取るこのできる発明の要旨または思想に反しない範囲で適宜変更可能であり、そのような変更を伴う情報再生装置および情報再生方法並びにこれらの機能を実現するコンピュータプログラムもまた本発明の技術思想に含まれる。
【図面の簡単な説明】
【図１】本発明の実施形態にかかる情報再生装置の構成を示すブロック図である。
【図２】本実施例にかかるＤＶＤプレーヤの構成を示すブロック図である。
【図３】本実施例にかかるＤＶＤプレーヤのリモコンを示す平面図である。
【図４】本実施例にかかるＤＶＤプレーヤにより再生されたメニューを示す説明図である。
【図５】本実施例にかかるＤＶＤプレーヤにより再生された他のメニューを示す説明図である。
【図６】入力操作およびメニュー表示の変化を示す説明図である。
【図７】図６に続く入力操作およびメニュー表示の変化を示す説明図である。
【図８】図７に続く入力操作およびメニュー表示の変化を示す説明図である。
【図９】図８に続く入力操作およびメニュー表示の変化を示す説明図である。
【図１０】本実施例における操作コマンド記憶処理を示すフローチャートである。
【図１１】本実施例における操作コマンド情報を示す説明図である。
【図１２】本実施例における操作コマンド実行処理を示すフローチャートである。
【符号の説明】
１０、３０…情報再生装置（ＤＶＤプレーヤ）
１１、３９…メニュー表示手段（ディスプレイ）
１２、３７…操作手段（操作部）
１３、３６…保持手段（記憶部）
１４、３５…自動入力操作手段（システムコントローラ）
【図１】
2004095032.tif 000003
【図２】
2004095032.tif 000004
【図３】
2004095032.tif 000005
【図４】
2004095032.tif 000006
【図５】
2004095032.tif 000007
【図６】
2004095032.tif 000008
【図７】
2004095032.tif 000009
【図８】
2004095032.tif 000010
【図９】
2004095032.tif 000011
【図１０】
2004095032.tif 000012
【図１１】
2004095032.tif 000013
【図１２】
2004095032.tif 000014